【事件の表示】
　特許第２８８７４３３号「硬貨処理装置」の請求項１ないし８に係る特許に対する特許異議の申立てについて、次のとおり決定する。
【結　論】
　訂正を認める。
　特許第２８８７４３３号の請求項１ないし８に係る特許を維持する。
【理　由】
１．手続の経緯
　特許第２８８７４３３号の発明についての出願は、平成５年１０月２２日に出願され、平成１１年２月１９日にその発明について特許の設定登録がなされ、その後、異議申立人　吉田春男により特許異議申立がなされ、平成１２年１０月１９日付け取消理由通知がなされ、その指定期間内である平成１２年１２月２８日に特許異議意見書および訂正請求書が提出されたものである。
　
２．訂正の適否についての判断
（１）訂正の内容
　特許権者が求めている訂正の内容は、上記訂正請求書に添付された全文訂正明細書に記載された、以下のａ，ｂである。
ａ．請求項１に記載された
「前記硬貨識別手段を通過した先行硬貨が前記正偽貨振分手段の配設位置に到達する前に後続硬貨が前記硬貨識別手段に到達した場合は、前記正偽貨振分手段を偽貨側に動作させて、前記先行硬貨および前記後続硬貨を共に偽貨側に振り分ける制御手段」を、
「前記硬貨識別手段を通過した先行硬貨が正貨である場合は、前記正偽貨振分手段を正貨側に動作させ、該先行硬貨が前記正偽貨振分手段の配設位置に到達する前に後続硬貨が前記硬貨識別手段に到達した場合は、該後続硬貨の投入を記憶するとともに、該後続硬貨の投入の記憶があることを条件に前記正偽貨振分手段を偽貨側に動作させ、その後前記後続硬貨の投入の記憶を削除して、前記先行硬貨および前記後続硬貨を共に偽貨側に振り分ける制御手段」に訂正する。
　
ｂ．請求項２に記載された
「前記タイマ手段がタイムアップする前に前記後続硬貨が前記硬貨識別手段に到達した場合は、前記正偽貨振分手段を偽貨側に強制動作させる強制動作制御手段」を、
「前記タイマ手段がタイムアップした時点で前記正偽貨振分手段を偽貨側に強制動作させる強制動作制御手段」に訂正する。
　
（２）訂正の目的の適否、新規事項の有無及び拡張・変更の存否
　《上記ａの訂正について》
　上記ａの訂正では、請求項１に記載された
「前記硬貨識別手段を通過した先行硬貨が前記正偽貨振分手段の配設位置に到達する前に後続硬貨が前記硬貨識別手段に到達した場合は、前記正偽貨振分手段を偽貨側に動作させて、前記先行硬貨および前記後続硬貨を共に偽貨側に振り分ける制御手段」を
「前記硬貨識別手段を通過した先行硬貨が正貨である場合は、前記正偽貨振分手段を正貨側に動作させ、該先行硬貨が前記正偽貨振分手段の配設位置に到達する前に後続硬貨が前記硬貨識別手段に到達した場合は、該後続硬貨の投入を記憶するとともに、該後続硬貨の投入の記憶があることを条件に前記正偽貨振分手段を偽貨側に動作させ、その後前記後続硬貨の投入の記憶を削除して、前記先行硬貨および前記後続硬貨を共に偽貨側に振り分ける制御手段」に訂正している。
　この訂正は、特許請求の範囲の請求項１に「先行硬貨が正貨である場合は、前記正偽貨振分手段を正貨側に動作させ、」、「該後続硬貨の投入を記憶するとともに、該後続硬貨の投入の記憶があることを条件に」および「その後前記後続硬貨の投入の記憶を削除して、」を附加して構成を限定し、同請求項を減縮したものである。
　そして、このａの訂正で追加された記載は、特許明細書の段落【００３７】〜【００４２】に示されており、上記ａの訂正は、特許明細書及び図面に記載された事項の範囲内において、訂正したものであり、また、実質上特許請求の範囲を拡張又は変更するものでもない。
　　
《上記ｂの訂正について》
　上記ｂの訂正では、請求項１に記載された
「前記タイマ手段がタイムアップする前に前記後続硬貨が前記硬貨識別手段に到達した場合は、前記正偽貨振分手段を偽貨側に強制動作させる強制動作制御手段」を
「前記タイマ手段がタイムアップした時点で前記正偽貨振分手段を偽貨側に強制動作させる強制動作制御手段」に訂正している。
　この訂正は、特許請求の範囲の請求項１に「した時点で」を附加して構成を限定し、同請求項を減縮したものである。
　そして、このｂの訂正で追加された記載は特許明細書の段落【００４１】に示されており、上記ｂの訂正は、特許明細書及び図面に記載された事項の範囲内において、訂正したものであり、また、実質上特許請求の範囲を拡張又は変更するものでもない。
　なお、この訂正では、訂正前に請求項２に記載されていた「する前に前記後続硬貨が前記硬貨識別手段に到達した場合は、」を形の上では削除しているが、この記載は、請求項１に残っており、請求項２は請求項１を引用しているので、実質的には削除されていない。
　
（３）独立特許要件
ａ．訂正後の請求項１ないし８に係る発明
　訂正後の請求項１ないし８に係る発明は、上記訂正請求書に添付された全文訂正明細書（以下、「訂正明細書」という。）の、特許請求の範囲の請求項１ないし８に記載された次のとおりのものである。
「【請求項１】　投入された硬貨を識別する硬貨識別手段と、
前記硬貨識別手段の下流側に配設され、該硬貨識別手段の識別結果に対応して動作し、該硬貨識別手段を通過した硬貨を正貨と偽貨とに振り分ける正偽貨振分手段とを具備する硬貨処理装置において、
　前記硬貨識別手段を通過した先行硬貨が正貨である場合は、前記正偽貨振分手段を正貨側に動作させ、該先行硬貨が前記正偽貨振分手段の配設位置に到達する前に後続硬貨が前記硬貨識別手段に到達した場合は、該後続硬貨の投入を記憶するとともに、該後続硬貨の投入の記憶があることを条件に前記正偽貨振分手段を偽貨側に動作させ、その後前記後続硬貨の投入の記憶を削除して、前記先行硬貨および前記後続硬貨を共に偽貨側に振り分ける制御手段と
　を具備することを特徴とする硬貨処理装置。
【請求項２】　前記制御手段は、
前記先行硬貨が前記正偽貨振分手段の配設位置に達するまでの時間より僅かに短い時間を計時するタイマ手段と、
前記タイマ手段がタイムアップした時点で前記正偽貨振分手段を偽貨側に強制動作させる強制動作制御手段と
を具備することを特徴とする請求項１記載の硬貨処理装置。
【請求項３】 投入された硬貨を識別する硬貨識別手段と、
前記硬貨識別手段の下流側に配設され、該硬貨識別手段の識別結果に対応して動作し、該硬貨識別手段を通過した硬貨を正貨と偽貨とに振り分ける正偽貨振分手段とを具備する硬貨処理装置において、
前記硬貨識別手段を通過した先行硬貨が正貨であり、該先行硬貨が前記正偽貨振分手段を抜けた直後に後続硬貨が前記硬貨識別手段に到達している場合は、前記正偽貨振分手段を偽貨側に動作させて、前記後続硬貨を偽貨側に振り分ける制御手段とを具備することを特徴とする硬貨処理装置。
【請求項４】 前記制御手段は、前記先行硬貨が前記正偽貨振分手段の配設位置を抜けるまでの時間より僅かに長い時間を計時するタイマ手段と、
前記タイマ手段がタイムアップしたとき前記後続硬貨が前記硬貨識別手段に到達している場合は、前記正偽貨振分手段を偽貨側に強制動作させる強制動作制御手段とを具備することを特徴とする請求項３記載の硬貨処理装置。
【請求項５】 投入された硬貨を識別する硬貨識別手段と、前記硬貨識別手段の下流側に配設され、該硬貨識別手段の識別結果に対応して動作し、該硬貨識別手段を通過した硬貨を正貨と偽貨とに振り分ける正偽貨振分手段とを具備する硬貨処理装置において、
前記硬貨識別手段を通過した先行硬貨が前記正偽貨振分手段の配設位置に到達する前に後続硬貨が前記硬貨識別手段に到達した場合は、前記正偽貨振分手段を偽貨側に動作させて、前記先行硬貨および前記後続硬貨を共に偽貨側に振り分けると共に、前記硬貨識別手段を通過した先行硬貨が正貨であり、該先行硬貨が前記正偽貨振分手段を抜けた直後に後続硬貨が前記硬貨識別手段に到達している場合は、前記正偽貨振分手段を偽貨側に動作させて、前記後続硬貨を偽貨側に振り分ける制御手段とを具備することを特徴とする硬貨処理装置。
【請求項６】 前記制御手段は、前記先行硬貨が前記正偽貨振分手段の配設位置に達するまでの時間より僅かに短い時間を計時する第１のタイマ手段と、前記第１のタイマ手段がタイムアップする前に前記後続硬貨が前記硬貨識別手段に到達した場合は、前記正偽貨振分手段を偽貨側に強制動作させる第１の強制動作制御手段と、前記先行硬貨が前記正偽貨振分手段の配設位置を抜けるまでの時間より僅かに長い時間を計時する第２のタイマ手段と、前記第２のタイマ手段がタイムアップしたとき前記後続硬貨が前記硬貨識別手段に到達している場合は、前記正偽貨振分手段を偽貨側に強制動作させる第２の強制動作制御手段とを具備することを特徴とする請求項５記載の硬貨処理装置。
【請求項７】 投入された硬貨を識別する硬貨識別手段と、前記硬貨識別手段の下流側に配設され、該硬貨識別手段の識別結果に対応して動作し、該硬貨識別手段を通過した硬貨を正貨と偽貨とに振り分ける正偽貨振分手段とを具備する硬貨処理装置において、前記硬貨識別手段を通過した先行硬貨が偽貨であり、該先行硬貨が前記正偽貨振分手段を抜けるまでに後続硬貨が前記硬貨識別手段に到達した場合は、前記正偽貨振分手段を偽貨側に動作させて、前記後続硬貨を偽貨側に振り分ける制御手段とを具備することを特徴とする硬貨処理装置。
【請求項８】 前記制御手段は、前記先行硬貨が前記正偽貨振分手段の配設位置を抜けるまでの時間より僅かに長い時間を計時するタイマ手段と、前記タイマ手段がタイムアップするまでに前記後続硬貨が前記硬貨識別手段に到達している場合は、前記正偽貨振分手段を偽貨側に強制動作させる強制動作制御手段とを具備することを特徴とする請求項７記載の硬貨処理装置。　
　
ｂ．引用文献
　当審が、平成１２年１０月１１日付け取消理由通知で引用した刊行物は、次のものである。
　刊行物１：特公昭５７−５２６３４号公報
この刊行物１には、次のような記載がなされている。
・第５欄１２〜１９行に、
「本発明は、・・・（中略）・・・硬貨検査装置を監視するための回路装置に関する。」
と記載されている。
　
・第６欄１４〜３０行に、
「本発明の目的は、硬貨の投入間隔等によって、硬貨判定機能が乱されないようにした硬貨検査装置監視用回路装置を提出することを目的とする。
　この目的を達成するために第１の発明の構成は、冒頭において述べた種類の回路装置において、第１測定センサが投入された硬貨ごとに分離した１個の硬貨投入信号を出力するようにして、硬貨投入信号が入力されたときに予め設定された時間間隔の第１時間信号を出力する第１時間回路と、この第１時間信号が入力されているときに後続する硬貨投入信号が入力されたとき遮断信号を出力する第１の論理回路と、この遮断信号が入力されたときに識別記号発生器からの識別信号による硬貨収納装置および硬貨計数装置の制御を遮断する論理遮断回路とを設けたものである。この結果、所定時間内に硬貨が連続して投入された場合には，真性硬貨であっても外部に排出される。」と記載されている。
　
・第１１欄１１〜１５行に、
「第１図には硬貨投入溝２０を示すが、この硬貨投入溝にはその端部において３箇の第１の測定センサ１，２および２１が備えられ、その際第１の測定センサ２および２１が硬貨の真偽検査に使用される。」
と記載されている。
　
・第１１欄１９〜２２行に、
「測定センサ１は、硬貨転動路２２の上に極めて近接して配置されており、個々の硬貨が通過する際にそれぞれ１箇の不連続な硬貨投入信号を発生することを目的とする。」
と記載されている。
　
・第１１欄２６〜３３行に、
「この垂直切片の下端部においてこの硬貨投入溝が硬貨収納装置を構成する硬貨用じゃま板３により遮断されている。図示していない電磁式操作装置により移動され得るこの硬貨用じゃま板３は、全ての硬貨監視判別基準にて硬貨が検査され、合格した場合のみ，真正硬貨溝５を開く。他の場合にはこの硬貨用じゃま板は投入された硬貨を硬貨返却溝６に導く。」
と記載されている。
　
・第１３欄１０〜１４行に、
「硬貨の投入は測定センサ装置１の出力に時間軸グラフＧに示す矩形状の硬貨投入信号３０の発生を引き起こす。その結果第１時間回路２５が時間軸グラフＨに示す継続時間Ｔ１の第１時間信号３１を発生する。」
と記載されている。
　
・第１３欄３０〜３６行に、
「第１論理結合回路部１０から第２論理結合回路部１１に、硬貨収納が生じるべきでないということが指示されない場合に、時間軸グラフＯに示す識別信号発生器Ｃの識別信号３６が前記第２論理結合回路部１１を通過する。その結果、第１図に示す硬貨収納装置の硬貨用じゃま板３が真正硬貨溝５を開放することにより硬貨の収納が起る。」
と記載されている。
　
・第１４欄４，５行に、
「第６図を用いて２箇の硬貨の連続的な順次投入時の動作を説明する。」
と記載されている。
　
・第１４欄１６，１７行に、
「前述の後続硬貨投入信号３０’と第１時間信号３１とが一致する結果、」
と記載されている。
　
・第１４欄２２〜２７行に、
「この第１論理結合回路部１０の出力には、硬貨収納装置Ｆへの第２論理結合回路１１を介した識別信号の通過を阻止する通過遮断信号が表われる。このことは、投入された両硬貨が収納を拒絶されることを意味する。」
と記載されている。
　
・第１５欄１８行〜第１６欄２行に、
「先行する硬貨が硬貨収納過程にある、すなわち第１図に示す硬貨用じゃま板３が開かれている場合にも第３図に示す回路装置が後続の真正硬貨の収納を防止するということである。」
と記載されている。
　
ｃ．対比・判断
《訂正明細書の請求項１について》
（対比）
　訂正明細書の請求項１に係る発明と、刊行物１に記載された発明を対比すると、刊行物１に記載された発明における「３箇の第１の測定センサ１，２および２１」、「硬貨用じゃま板３」および「硬貨検査装置」は、請求項１に係る発明の「硬貨識別手段」、「正偽貨振分手段」および「硬貨処理装置」、にそれぞれ相当する。
　また、訂正明細書の請求項１には「前記硬貨識別手段を通過した先行硬貨が・・・・前記正偽貨振分手段の配設位置に到達する前に後続硬貨が前記硬貨識別手段に到達した場合は、・・・・前記正偽貨振分手段を偽貨側に動作させ、・・・・前記先行硬貨および前記後続硬貨を共に偽貨側に振り分ける制御手段」と記載されているが、
刊行物１に記載された発明でも、“後続硬貨投入信号３０’と（予め設定された時間間隔の）第１時間信号３１とが一致する結果、投入された両硬貨が収納を拒絶される（じゃま板３が真正硬貨溝５を閉鎖し、２箇の硬貨は同溝５への収納が拒絶され、硬貨返却溝６へ導かれる）”ようになっており（刊行物１第１４欄１６，１７行、および同欄２２〜２７行を特に参照。「予め設定された時間間隔の第１時間信号」については第６欄１４〜３０行を参照。）、しかも、「測定センサ１，２および２１」を通過した先行硬貨が「じゃま板３」の配設位置に到達
した後に
　したがって、両発明は、
「投入された硬貨を識別する硬貨識別手段と、
前記硬貨識別手段の下流側に配設され、該硬貨識別手段の識別結果に対応して動作し、該硬貨識別手段を通過した硬貨を正貨と偽貨とに振り分ける正偽貨振分手段とを具備する硬貨処理装置において、
　前記硬貨識別手段を通過した先行硬貨が前記正偽貨振分手段の配設位置に到達する前に後続硬貨が前記硬貨識別手段に到達した場合は、前記正偽貨振分手段を偽貨側に動作させ、前記先行硬貨および前記後続硬貨を共に偽貨側に振り分ける制御手段と
　を具備することを特徴とする硬貨処理装置。」
で一致し、以下の点で相違する。
（相違点）
　訂正明細書の請求項１に係る発明では、「前記硬貨識別手段を通過した先行硬貨が正貨である場合は、前記正偽貨振分手段を正貨側に動作させ、該先行硬貨が前記正偽貨振分手段の配設位置に到達する前に後続硬貨が前記硬貨識別手段に到達した場合は、該後続硬貨の投入の記憶があることを条件に該後続硬貨の投入を記憶するとともに、前記正偽貨振分手段を偽貨側に動作させ、その後前記後続硬貨の投入の記憶を削除して、前記先行硬貨および前記後続硬貨を共に偽貨側に振り分ける制御手段」を具備しているが、刊行物１に記載された発明は、訂正明細書の請求項１に係る発明のように、「前記硬貨識別手段を通過した先行硬貨が前記正偽貨振分手段の配設位置に到達する前に後続硬貨が前記硬貨識別手段に到達した場合は、前記正偽貨振分手段を偽貨側に動作させ、前記先行硬貨および前記後続硬貨を共に偽貨側に振り分ける制御手段」において、「前記硬貨識別手段を通過した先行硬貨が正貨である場合は、前記正偽貨振分手段を正貨側に動作させ、」、また「後続硬貨が前記硬貨識別手段に到達した場合は、」、「前記正偽貨振分手段を偽貨側に動作させ」るようになってはいないし、「該後続硬貨の投入を記憶するとともに、該後続硬貨の投入の記憶があることを条件に」、「（前記正偽貨振分手段の動作後に）前記後続硬貨の投入の記憶を削除して、」とするようにもなっていない。そうしてみると、両発明は以下の点で相違する。
　
相違点Ａ：訂正明細書の請求項１に係る発明では、上記の、
「前記硬貨識別手段を通過した先行硬貨が正貨である場合は、前記正偽貨振分手段を正貨側に動作させ、該先行硬貨が前記正偽貨振分手段の配設位置に到達する前に後続硬貨が前記硬貨識別手段に到達した場合は、該後続硬貨の投入を記憶するとともに、該後続硬貨の投入の記憶があることを条件に前記正偽貨振分手段を偽貨側に動作させ、その後前記後続硬貨の投入の記憶を削除して、前記先行硬貨および前記後続硬貨を共に偽貨側に振り分ける制御手段」を具備しているのに対して、刊行物１に記載された発明は、このようなる制御手段を具備していない点。
　
（判断）
　訂正明細書の請求項１に係る発明は、上記のような「制御手段」を具備しているので、同明細書【００５９】段落に記載されたような「硬貨が連続投入された場合の誤動作、不都合を解消できる」という発明の効果を達成できると認められる。
　したがって、訂正明細書の請求項１に係る発明は、刊行物１に記載された発明とは異なったものであり、また、同刊行物に記載された発明に基づいて当業者が容易に発明をすることができたものでもない。
　
《訂正明細書の請求項２について》
（対比）
　訂正明細書の請求項２に係る発明を、刊行物１に記載された発明と対比すると、刊行物１に記載された発明における「第１時間回路２５」および「第１論理結合回路部１０，第２論理結合回路部１１」は、請求項２に係る発明の「タイマ手段」および「強制動作制御手段」にそれぞれ相当する。
　したがって、両発明は、上記《訂正明細書の請求項１について》の「（相違点）」の項で記載した相違点Ａと同一の点で相違し、他の点では一致している。
（判断）
　この相違点について検討すると、上記《訂正明細書の請求項１について》の「（判断）」の項で検討したと同様にして、訂正明細書の請求項２に係る発明は、刊行物１に記載された発明とは異なったものであり、また、同刊行物に記載された発明に基づいて当業者が容易に発明をすることができたものでもない。
　
《訂正明細書の請求項３について》
（対比）
　訂正明細書の請求項３に係る発明と、刊行物１に記載された発明を対比すると、刊行物１に記載された発明における「３箇の第１の測定センサ１，２および２１」、「硬貨用じゃま板３」および「硬貨検査装置」は、請求項３に係る発明の「硬貨識別手段」、「正偽貨振分手段」および「硬貨処理装置」、にそれぞれ相当する。
　また、同請求項には「前記正偽貨振分手段を偽貨側に動作させて、前記後続硬貨を偽貨側に振り分ける制御手段とを具備する」と記載されているが、刊行物１第１５欄１８行〜第１６欄２行には、「先行する硬貨が硬貨収納過程にある、すなわち第１図に示す硬貨用じゃま板３が開かれている場合にも第３図に示す回路装置が後続の真正硬貨の収納を防止するということである。」と同様な内容が記載されている。
　したがって、両発明は、
「投入された硬貨を識別する硬貨識別手段と、
前記硬貨識別手段の下流側に配設され、該硬貨識別手段の識別結果に対応して動作し、該硬貨識別手段を通過した硬貨を正貨と偽貨とに振り分ける正偽貨振分手段とを具備する硬貨処理装置において、
前記正偽貨振分手段を偽貨側に動作させて、前記後続硬貨を偽貨側に振り分ける制御手段とを具備することを特徴とする硬貨処理装置。」
で一致し、以下の点で相違する。
　
　相違点Ｂ：訂正明細書の請求項３に係る発明は、「前記硬貨識別手段を通過した先行硬貨が正貨であり、該先行硬貨が前記正偽貨振分手段を抜けた直後に後続硬貨が前記硬貨識別手段に到達している場合は、前記正偽貨振分手段を偽貨側に動作させて、前記後続硬貨を偽貨側に振り分ける制御手段」を具備しているのに対して、刊行物１に記載された発明は、このようなる制御手段を具備していない点。
　
（判断）
　訂正明細書の請求項３に係る発明は、上記のような「制御手段」を具備しているので、同明細書【００５９】段落に記載されたような「硬貨が連続投入された場合の誤動作、不都合を解消できる」という発明の効果を達成できると認められる。
　したがって、訂正明細書の請求項３に係る発明は、刊行物１に記載された発明とは異なったものであり、また、同刊行物に記載された発明に基づいて当業者が容易に発明をすることができたものでもない。
　
《訂正明細書の請求項４について》
（対比）
　訂正明細書の請求項４に係る発明を、刊行物１に記載された発明と対比すると、両発明は、上記《訂正明細書の請求項３について》の「（対比）」の項で記載した相違点Ｂと同一の点で相違し、また、下記の相違点Ｂ’でも相違し、その余の点では一致している。
　
相違点Ｂ’：訂正明細書の請求項４に係る発明は、「 前記制御手段は、前記先行硬貨が前記正偽貨振分手段の配設位置を抜けるまでの時間より僅かに長い時間を計時するタイマ手段と、前記タイマ手段がタイムアップしたとき前記後続硬貨が前記硬貨識別手段に到達している場合は、前記正偽貨振分手段を偽貨側に強制動作させる強制動作制御手段とを具備する」のに対して、刊行物１に記載された発明では、これらの手段を具備していない点。
　
（判断）
　訂正明細書の請求項４に係る発明は、相違点Ｂ，Ｂ’における、上記のような「制御手段」、「タイマ手段」および「強制動作制御手段」を具備しているので、同明細書【００５９】段落に記載されたような「硬貨が連続投入された場合の誤動作、不都合を解消できる」という発明の効果を達成できると認められる。
　したがって、訂正明細書の請求項４に係る発明は、刊行物１に記載された発明とは異なったものであり、また、同刊行物に記載された発明に基づいて当業者が容易に発明をすることができたものでもない。
　
《訂正明細書の請求項５について》
（対比）
　訂正明細書の請求項５に係る発明と、刊行物１に記載された発明を対比すると、刊行物１に記載された発明における「３箇の第１の測定センサ１，２および２１」、「硬貨用じゃま板３」および「硬貨検査装置」は、請求項５に係る発明の「硬貨識別手段」、「正偽貨振分手段」および「硬貨処理装置」、にそれぞれ相当する。
　また、訂正明細書の請求項５には「前記硬貨識別手段を通過した先行硬貨が前記正偽貨振分手段の配設位置に到達する前に後続硬貨が前記硬貨識別手段に到達した場合は、前記正偽貨振分手段を偽貨側に動作させて、前記先行硬貨および前記後続硬貨を共に偽貨側に振り分ける」と記載されているのに対して、刊行物１に記載された発明では、“後続硬貨投入信号３０’と（予め設定された時間間隔の）第１時間信号３１とが一致する結果、投入された両硬貨が収納を拒絶される（じゃま板３が真正硬貨溝５を閉鎖し、２箇の硬貨は同溝５への収納が拒絶され、硬貨返却溝６へ導かれる）”ようになっており（刊行物１第１４欄１６，１７行、および同欄２２〜２７行を特に参照。「予め設定された時間間隔の第１時間信号」については第６欄１４〜３０行を参照。）、しかも、「測定センサ１，２および２１」を通過した先行硬貨が「じゃま板３」の配設位置に到達
した後に
　したがって、両発明は、
「 投入された硬貨を識別する硬貨識別手段と、前記硬貨識別手段の下流側に配設され、該硬貨識別手段の識別結果に対応して動作し、該硬貨識別手段を通過した硬貨を正貨と偽貨とに振り分ける正偽貨振分手段とを具備する硬貨処理装置において、
前記硬貨識別手段を通過した先行硬貨が前記正偽貨振分手段の配設位置に到達する前に後続硬貨が前記硬貨識別手段に到達した場合は、前記正偽貨振分手段を偽貨側に動作させて、前記先行硬貨および前記後続硬貨を共に偽貨側に振り分ける制御手段とを具備することを特徴とする硬貨処理装置。」
で一致し、以下の点で相違する。
　
　相違点Ｃ：訂正明細書の請求項５に係る発明では、「前記硬貨識別手段を通過した先行硬貨が正貨であり、該先行硬貨が前記正偽貨振分手段を抜けた直後に後続硬貨が前記硬貨識別手段に到達している場合は、前記正偽貨振分手段を偽貨側に動作させて、前記後続硬貨を偽貨側に振り分ける制御手段」を具備しているのに対して、刊行物１に記載された発明は、このようなる制御手段を具備していない点。
　
（判断）
　訂正明細書の請求項５に係る発明は、上記のような「制御手段」を具備しているので、同明細書【００５９】段落に記載されたような「硬貨が連続投入された場合の誤動作、不都合を解消できる」という発明の効果を達成できると認められる。
　したがって、訂正明細書の請求項５に係る発明は、刊行物１に記載された発明とは異なったものであり、また、同刊行物に記載された発明に基づいて当業者が容易に発明をすることができたものでもない。
　
《訂正明細書の請求項６について》
（対比）
　訂正明細書の請求項６に係る発明を、刊行物１に記載された発明と対比すると、刊行物１に記載された発明における「第１時間回路２５」および「第１論理結合回路部１０，第２論理結合回路部１１」は、請求項６に係る発明の「第１のタイマ手段」および「第１の強制動作制御手段」にそれぞれ相当する。
　したがって、両発明は、上記《訂正明細書の請求項５について》の「（対比）」の項で記載した相違点Ｃと同一の点で相違し、さらに、下記の相違点Ｃ’でも相違し、その余の点では一致している。
　
相違点Ｃ’：訂正明細書の請求項６に係る発明は、「 前記制御手段は、前記先行硬貨が前記正偽貨振分手段の配設位置を抜けるまでの時間より僅かに長い時間を計時する第２のタイマ手段と、前記第２のタイマ手段がタイムアップしたとき前記後続硬貨が前記硬貨識別手段に到達している場合は、前記正偽貨振分手段を偽貨側に強制動作させる第２の強制動作制御手段とを具備する」が、これに対して、刊行物１に記載された発明は、これらの手段を具備していない点。
　
（判断）
　訂正明細書の請求項６に係る発明は、相違点Ｃ，Ｃ’における、上記のような「制御手段」、「第２のタイマ手段」および「第２の強制動作制御手段」を具備しているので、同明細書【００５９】段落に記載されたような「硬貨が連続投入された場合の誤動作、不都合を解消できる」という発明の効果を達成できると認められる。
　したがって、訂正明細書の請求項６に係る発明は、刊行物１に記載された発明とは異なったものであり、また、同刊行物に記載された発明に基づいて当業者が容易に発明をすることができたものでもない。
　
《訂正明細書の請求項７について》
（対比）
　訂正明細書の請求項７に係る発明と、刊行物１に記載された発明を対比すると、刊行物１に記載された発明における「３箇の第１の測定センサ１，２および２１」、「硬貨用じゃま板３」および「硬貨検査装置」は、請求項７に係る発明の「硬貨識別手段」、「正偽貨振分手段」および「硬貨処理装置」、にそれぞれ相当する。
　したがって、両発明は、
「投入された硬貨を識別する硬貨識別手段と、
前記硬貨識別手段の下流側に配設され、該硬貨識別手段の識別結果に対応して動作し、該硬貨識別手段を通過した硬貨を正貨と偽貨とに振り分ける正偽貨振分手段とを具備する硬貨処理装置」
で一致し、以下の点で相違する。
　
　相違点Ｄ：訂正明細書の請求項７に係る発明では、「前記硬貨識別手段を通過した先行硬貨が偽貨であり、該先行硬貨が前記正偽貨振分手段を抜けるまでに後続硬貨が前記硬貨識別手段に到達した場合は、前記正偽貨振分手段を偽貨側に動作させて、前記後続硬貨を偽貨側に振り分ける制御手段」を具備しているのに対して、刊行物１に記載された発明は、このようなる制御手段を具備していない点。
　
（判断）
　訂正明細書の請求項７に係る発明は、上記のような「制御手段」を具備しているので、同明細書【００５９】段落に記載されたような「硬貨が連続投入された場合の誤動作、不都合を解消できる」という発明の効果を達成できると認められる。
　したがって、訂正明細書の請求項７に係る発明は、刊行物１に記載された発明とは異なったものであり、また、同刊行物に記載された発明に基づいて当業者が容易に発明をすることができたものでもない。
　
《訂正明細書の請求項８について》
（対比）
　訂正明細書の請求項８に係る発明と、刊行物１に記載された発明を対比すると、両発明は、上記《訂正明細書の請求項８について》の「（対比）」の項で記載した相違点Ｄと同一の点で相違し、さらに、下記の相違点Ｄ’でも相違し、その余の点では一致している。
　
相違点Ｄ’：訂正明細書の請求項８に係る発明は、「 前記制御手段は、前記先行硬貨が前記正偽貨振分手段の配設位置を抜けるまでの時間より僅かに長い時間を計時するタイマ手段と、前記タイマ手段がタイムアップするまでに前記後続硬貨が前記硬貨識別手段に到達している場合は、前記正偽貨振分手段を偽貨側に強制動作させる強制動作制御手段とを具備する」が、これに対して、刊行物１に記載された発明は、これらの手段を具備していない点。
　
（判断）
　訂正明細書の請求項８に係る発明は、相違点Ｄ，Ｄ’における、上記のような「制御手段」、「タイマ手段」および「強制動作制御手段」を具備しているので、同明細書【００５９】段落に記載されたような「硬貨が連続投入された場合の誤動作、不都合を解消できる」という発明の効果を達成できると認められる。
　したがって訂正明細書の請求項８に係る発明は、刊行物１に記載された発明とは異なったものであり、また、同刊行物に記載された発明に基づいて当業者が容易に発明をすることができたものでもない。
　
《まとめ》
　このように、訂正明細書請求項１ないし８に係る発明は、刊行物１に記載された発明と異なったものであり、また、同刊行物に記載された発明に基づいて当業者が容易に発明をすることができたものでもない。
　したがって、訂正明細書請求項１ないし８に係る発明が、特許出願の際独立して特許を受けることができないものであるとはいえない。
　
（４）むすび
　以上のとおりであるから、上記訂正は、特許法第１２０条の４第２項及び同条第３項で準用する同法第１２６条第１項ただし書き、第２項および第３項の規定に適合するので、当該訂正を認める。
　
３．特許異議申立てについて
（１）本件発明
　本件の請求項１ないし８に係る発明は、上記訂正明細書の、特許請求の範囲の請求項１ないし８に記載されたとおりのものである。（以下、「本件請求項１ないし８に係る発明」という。前記「２．（４）ａ．」参照。）
　
（２）申し立て理由の概要
　特許異議申立人　吉田春男　は、
甲第１号証：特公昭５７−５２６３４号公報
を提出して、本件請求項１，３，５，７に係る発明は甲第１号証に記載された発明であり、特許法第２９条第１項第３号の規定に該当し、また、本件請求項２，４，６，８に係る発明は甲第１号証に記載された発明に基づいて当業者が容易に発明をすることができたものであるから、特許法第２９条第２項の規定に該当し、特許を受けることができないものである。したがって、これらの発明の特許は特許法第１１３条第１項第２号の規定に該当するので取り消されるべきものである旨主張している。
　
（３）判断
　本件請求項１ないし８に係る発明は、いずれも、上記２．（４）ｃ．で示したように、取消理由通知で示した刊行物１（甲第１号証と同じ。）に記載された発明とは異なったものであり、また、同刊行物に記載された発明に基づいて当業者が容易に発明をすることができたものでもない。
　なお、特許異議申立人は、特許異議申立書第１１ページ２〜１７行において「本件請求項７に係る特許発明と甲第１号証に記載された発明とを対比すると、両者は、・・・・（８行省略）・・・・先行硬貨が偽貨である場合について甲第１号証には具体的には記載されてはいない点で相違する。しかしながら、甲第１号証においては、「所定時間内に硬貨が連続して投入された場合には、真正硬貨であっても外部に排出される。」（第６欄第２９〜３０行）のであり、先行硬貨が偽貨である場合であっても所定時間内の後続硬貨が返却されることは明らかであるから、上述の相違点は実質的なものではない。」と述べている。
　確かに、甲第１号証に記載された発明では、偽貨の先行硬貨に続いて所定時間（第１継続時間信号の継続時間Ｔ１）内に後続硬貨が投入された場合、この後続硬貨は返却される。
　すなわち、甲第１号証に記載された発明でも、後続硬貨に所定時間（時間Ｔ１）未満だけ先だって偽貨の先行硬貨が投入されていれば、後続硬貨は返却される。しかし、同発明では、先行硬貨が偽貨の場合に限らず、先行硬貨が正貨の場合も後続硬貨は返却される。
　それに対して、本件請求項７に係る発明の制御手段は、同項に記載されているように「先行硬貨が偽貨である・・・・場合は、前記正偽貨振分手段を偽貨側に動作させて、前記後続硬貨を偽貨側に振り分ける制御手段」なのであって、「先行硬貨が
正貨
　このように、本件請求項７に係る発明の制御手段は、明らかに、甲第１号証に記載された発明の制御手段と異なっている。
　
（４）むすび
　以上のとおりであるから、特許異議申立ての理由及び証拠によっては、本件請求項１ないし８に係る発明の特許を取り消すことはできない。
　また、他に本件請求項１ないし８に係る発明の特許を取り消すべき理由を発見しない。したがって、本件請求項１ないし８に係る発明の特許は拒絶の査定をしなければならない特許出願に対してなされたものと認めない。
　よって、結論のとおり決定する。
【異議決定日】
平成１３年３月２２日（２００１．３．２２）
【訂正の要旨】
　訂正の要旨
　特許権者が求めている訂正の要旨は、以下のａ，ｂである。
ａ．請求項１に記載された
「前記硬貨識別手段を通過した先行硬貨が前記正偽貨振分手段の配設位置に到達する前に後続硬貨が前記硬貨識別手段に到達した場合は、前記正偽貨振分手段を偽貨側に動作させて、前記先行硬貨および前記後続硬貨を共に偽貨側に振り分ける制御手段」を、
「前記硬貨識別手段を通過した先行硬貨が正貨である場合は、前記正偽貨振分手段を正貨側に動作させ、該先行硬貨が前記正偽貨振分手段の配設位置に到達する前に後続硬貨が前記硬貨識別手段に到達した場合は、該後続硬貨の投入を記憶するとともに、該後続硬貨の投入の記憶があることを条件に前記正偽貨振分手段を偽貨側に動作させ、その後前記後続硬貨の投入の記憶を削除して、前記先行硬貨および前記後続硬貨を共に偽貨側に振り分ける制御手段」に訂正する。
ｂ．請求項２に記載された
「前記タイマ手段がタイムアップする前に前記後続硬貨が前記硬貨識別手段に到達した場合は、前記正偽貨振分手段を偽貨側に強制動作させる強制動作制御手段」を、
「前記タイマ手段がタイムアップした時点で前記正偽貨振分手段を偽貨側に強制動作させる強制動作制御手段」に訂正する。
（５４）【発明の名称】
硬貨処理装置
（５７）【特許請求の範囲】
　【請求項１】　投入された硬貨を識別する硬貨識別手段と、
　前記硬貨識別手段の下流側に配設され、該硬貨識別手段の識別結果に対応して動作し、該硬貨識別手段を通過した硬貨を正貨と偽貨とに振り分ける正偽貨振分手段と
　を具備する硬貨処理装置において、
　前記硬貨識別手段を通過した先行硬貨が正貨である場合は、前記正偽貨振分手段を正貨側に動作させ、該先行硬貨が前記正偽貨振分手段の配設位置に到達する前に後続硬貨が前記硬貨識別手段に到達した場合は、該後続硬貨の投入を記憶するとともに、該後続硬貨の投入の記憶があることを条件に前記正偽貨振分手段を偽貨側に動作させ、その後前記後続硬貨の投入の記憶を削除して、前記先行硬貨および前記後続硬貨を共に偽貨側に振り分ける制御手段と
　を具備することを特徴とする硬貨処理装置。
　【請求項２】　前記制御手段は、
　前記先行硬貨が前記正偽貨振分手段の配設位置に達するまでの時間より僅かに短い時間を計時するタイマ手段と、
　前記タイマ手段がタイムアップした時点で前記正偽貨振分手段を偽貨側に強制動作させる強制動作制御手段と
　を具備することを特徴とする請求項１記載の硬貨処理装置。
　【請求項３】　投入された硬貨を識別する硬貨識別手段と、
　前記硬貨識別手段の下流側に配設され、該硬貨識別手段の識別結果に対応して動作し、該硬貨識別手段を通過した硬貨を正貨と偽貨とに振り分ける正偽貨振分手段と
　を具備する硬貨処理装置において、
　前記硬貨識別手段を通過した先行硬貨が正貨であり、該先行硬貨が前記正偽貨振分手段を抜けた直後に後続硬貨が前記硬貨識別手段に到達している場合は、前記正偽貨振分手段を偽貨側に動作させて、前記後続硬貨を偽貨側に振り分ける制御手段と
　を具備することを特徴とする硬貨処理装置。
　【請求項４】　前記制御手段は、
　前記先行硬貨が前記正偽貨振分手段の配設位置を抜けるまでの時間より僅かに長い時間を計時するタイマ手段と、
　前記タイマ手段がタイムアップしたとき前記後続硬貨が前記硬貨識別手段に到達している場合は、前記正偽貨振分手段を偽貨側に強制動作させる強制動作制御手段と
　を具備することを特徴とする請求項３記載の硬貨処理装置。
　【請求項５】　投入された硬貨を識別する硬貨識別手段と、
　前記硬貨識別手段の下流側に配設され、該硬貨識別手段の識別結果に対応して動作し、該硬貨識別手段を通過した硬貨を正貨と偽貨とに振り分ける正偽貨振分手段と
　を具備する硬貨処理装置において、
　前記硬貨識別手段を通過した先行硬貨が前記正偽貨振分手段の配設位置に到達する前に後続硬貨が前記硬貨識別手段に到達した場合は、前記正偽貨振分手段を偽貨側に動作させて、前記先行硬貨および前記後続硬貨を共に偽貨側に振り分けると共に、前記硬貨識別手段を通過した先行硬貨が正貨であり、該先行硬貨が前記正偽貨振分手段を抜けた直後に後続硬貨が前記硬貨識別手段に到達している場合は、前記正偽貨振分手段を偽貨側に動作させて、前記後続硬貨を偽貨側に振り分ける制御手段と
　を具備することを特徴とする硬貨処理装置。
　【請求項６】　前記制御手段は、
　前記先行硬貨が前記正偽貨振分手段の配設位置に達するまでの時間より僅かに短い時間を計時する第１のタイマ手段と、
　前記第１のタイマ手段がタイムアップする前に前記後続硬貨が前記硬貨識別手段に到達した場合は、前記正偽貨振分手段を偽貨側に強制動作させる第１の強制動作制御手段と、
　前記先行硬貨が前記正偽貨振分手段の配設位置を抜けるまでの時間より僅かに長い時間を計時する第２のタイマ手段と、
　前記第２のタイマ手段がタイムアップしたとき前記後続硬貨が前記硬貨識別手段に到達している場合は、前記正偽貨振分手段を偽貨側に強制動作させる第２の強制動作制御手段と
　を具備することを特徴とする請求項５記載の硬貨処理装置。
　【請求項７】　投入された硬貨を識別する硬貨識別手段と、
　前記硬貨識別手段の下流側に配設され、該硬貨識別手段の識別結果に対応して動作し、該硬貨識別手段を通過した硬貨を正貨と偽貨とに振り分ける正偽貨振分手段と
　を具備する硬貨処理装置において、
　前記硬貨識別手段を通過した先行硬貨が偽貨であり、該先行硬貨が前記正偽貨振分手段を抜けるまでに後続硬貨が前記硬貨識別手段に到達した場合は、前記正偽貨振分手段を偽貨側に動作させて、前記後続硬貨を偽貨側に振り分ける制御手段と
　を具備することを特徴とする硬貨処理装置。
　【請求項８】　前記制御手段は、
　前記先行硬貨が前記正偽貨振分手段の配設位置を抜けるまでの時間より僅かに長い時間を計時するタイマ手段と、
　前記タイマ手段がタイムアップするまでに前記後続硬貨が前記硬貨識別手段に到達している場合は、前記正偽貨振分手段を偽貨側に強制動作させる強制動作制御手段と
　を具備することを特徴とする請求項７記載の硬貨処理装置。
【発明の詳細な説明】
　【０００１】
　【産業上の利用分野】
　この発明は自動販売等の各種自動サービス機器に用いられる硬貨処理装置に関し、特に硬貨が連続投入された場合の誤動作を防止するように改良した硬貨処理装置に関する。
　【０００２】
　【従来の技術】
　一般に、自動販売等の各種自動サービス機器の硬貨処理装置においては、硬貨投入口から投入された硬貨を、まず、硬貨識別部に導き、この硬貨識別部で、正貨、偽貨の識別を行うと共に、正貨についてはその金種の識別を行い、その後、正偽貨振分部に導き、この正偽貨振分部で正貨と偽貨の振分動作を行う。
　【０００３】
　ここで、硬貨識別部は、例えば、硬貨検出コイルを用いて投入硬貨の正偽および金種を電子的に識別する電子的識別部として構成されており、また、正偽貨振分部は、正偽貨振分レバーと、該正偽貨振分レバーを駆動する正偽貨振分ソレノイドから構成されており、硬貨識別部で投入硬貨が正貨であると識別された場合は、例えば、正偽貨振分ソレノイドをオンにして、正偽貨振分レバーを正貨通路側に変位駆動して、硬貨識別部を通過した硬貨を正貨通路に導き、硬貨識別部で投入硬貨が偽貨であると識別された場合は、正偽貨振分ソレノイドをオフのままにして、正偽貨振分レバーを非駆動状態、すなわち返却通路側に変位して、硬貨識別部を通過した硬貨を返却通路を介して硬貨返却口に導くように動作する。
　【０００４】
　また、正貨通路に導かれた硬貨は、更に金種別に振り分けられ、釣銭として使用する硬貨は金種別にコインチューブに蓄積される。
　【０００５】
　【発明が解決しようとする課題】
　ところで、このような硬貨処理装置において、硬貨投入口から複数の硬貨が連続して投入されると、正確な金種別の振分ができなくなると共に、偽貨に続いて正貨が投入されたような場合には、偽貨が誤って正貨通路に導かれてしまうという不都合が生じる。
　【０００６】
　そこで、この発明は、硬貨が連続投入された場合の誤動作、不都合を解消するように改良した硬貨処理装置を提供することを目的とする。
　【０００７】
　【課題を解決するための手段】
　上記目的を達成するため、この発明においては、投入された硬貨を識別する硬貨識別手段と、前記硬貨識別手段の下流側に配設され、該硬貨識別手段の識別結果に対応して動作し、該硬貨識別手段を通過した硬貨を正貨と偽貨とに振り分ける正偽貨振分手段とを具備する硬貨処理装置において、前記硬貨識別手段を通過した先行硬貨が前記正偽貨振分手段の配設位置に到達する前に後続硬貨が前記硬貨識別手段に到達した場合は、前記正偽貨振分手段を偽貨側に動作させて、前記先行硬貨および前記後続硬貨を共に偽貨側に振り分ける制御手段とを具備することを特徴とする。
　【０００８】
　また、この発明においては、投入された硬貨を識別する硬貨識別手段と、前記硬貨識別手段の下流側に配設され、該硬貨識別手段の識別結果に対応して動作し、該硬貨識別手段を通過した硬貨を正貨と偽貨とに振り分ける正偽貨振分手段とを具備する硬貨処理装置において、前記硬貨識別手段を通過した先行硬貨が正貨であり、該先行硬貨が前記正偽貨振分手段を抜けた直後に後続硬貨が前記硬貨識別手段に到達している場合は、前記正偽貨振分手段を偽貨側に動作させて、前記後続硬貨を偽貨側に振り分ける制御手段とを具備することを特徴とする。
　【０００９】
　また、この発明においては、投入された硬貨を識別する硬貨識別手段と、前記硬貨識別手段の下流側に配設され、該硬貨識別手段の識別結果に対応して動作し、該硬貨識別手段を通過した硬貨を正貨と偽貨とに振り分ける正偽貨振分手段とを具備する硬貨処理装置において、前記硬貨識別手段を通過した先行硬貨が前記正偽貨振分手段の配設位置に到達する前に後続硬貨が前記硬貨識別手段に到達した場合は、前記正偽貨振分手段を偽貨側に動作させて、前記先行硬貨および前記後続硬貨を共に偽貨側に振り分けると共に、前記硬貨識別手段を通過した先行硬貨が正貨であり、該先行硬貨が前記正偽貨振分手段を抜けた直後に後続硬貨が前記硬貨識別手段に到達している場合は、前記正偽貨振分手段を偽貨側に動作させて、前記後続硬貨を偽貨側に振り分ける制御手段とを具備することを特徴とする。
　【００１０】
　また、この発明においては、投入された硬貨を識別する硬貨識別手段と、前記硬貨識別手段の下流側に配設され、該硬貨識別手段の識別結果に対応して動作し、該硬貨識別手段を通過した硬貨を正貨と偽貨とに振り分ける正偽貨振分手段とを具備する硬貨処理装置において、前記硬貨識別手段を通過した先行硬貨が偽貨であり、該先行硬貨が前記正偽貨振分手段を抜けるまでに後続硬貨が前記硬貨識別手段に到達した場合は、前記正偽貨振分手段を偽貨側に動作させて、前記後続硬貨を偽貨側に振り分ける制御手段とを具備することを特徴とする。
　【００１１】
　【作用】
　この発明では、硬貨識別手段を通過した先行硬貨が正偽貨振分手段の配設位置に到達する前に後続硬貨が硬貨識別手段に到達した場合は、制御手段により、正偽貨振分手段を偽貨側に動作させて、先行硬貨および後続硬貨を共に偽貨側に振り分ける。
　【００１２】
　ここで、制御手段は、前記先行硬貨が前記正偽貨振分手段の配設位置に達するまでの時間より僅かに短い時間を計時するタイマ手段と、前記タイマ手段がタイムアップする前に前記後続硬貨が前記硬貨識別手段に到達した場合は、前記正偽貨振分手段を偽貨側に強制動作させる強制動作制御手段とを具備して構成することができる。
　【００１３】
　また、この発明では、硬貨識別手段を通過した先行硬貨が正貨であり、該先行硬貨が前記正偽貨振分手段を抜けた直後に後続硬貨が前記硬貨識別手段に到達している場合は、制御手段により、正偽貨振分手段を偽貨側に動作させて、後続硬貨のみを偽貨側に振り分ける。
　【００１４】
　ここで、制御手段は、前記先行硬貨が前記正偽貨振分手段の配設位置を抜けるまでの時間より僅かに長い時間を計時するタイマ手段と、前記タイマ手段がタイムアップしたとき前記後続硬貨が前記硬貨識別手段に到達している場合は、前記正偽貨振分手段を偽貨側に強制動作させる強制動作制御手段とを具備して構成することができる。
　【００１５】
　また、この発明では、硬貨識別手段を通過した先行硬貨が正偽貨振分手段の配設位置に到達する前に後続硬貨が硬貨識別手段に到達した場合は、制御手段により、正偽貨振分手段を偽貨側に動作させて、先行硬貨および後続硬貨を共に偽貨側に振り分けると共に、硬貨識別手段を通過した先行硬貨が正貨であり、該先行硬貨が正偽貨振分手段を抜けた直後に後続硬貨が硬貨識別手段に到達している場合は、正偽貨振分手段を偽貨側に動作させて、後続硬貨のみを偽貨側に振り分ける。
　【００１６】
　ここで、制御手段は、前記先行硬貨が前記正偽貨振分手段の配設位置に達するまでの時間より僅かに短い時間を計時する第１のタイマ手段と、前記第１のタイマ手段がタイムアップする前に前記後続硬貨が前記硬貨識別手段に到達した場合は、前記正偽貨振分手段を偽貨側に強制動作させる第１の強制動作制御手段と、前記先行硬貨が前記正偽貨振分手段の配設位置を抜けるまでの時間より僅かに長い時間を計時する第２のタイマ手段と、前記第２のタイマ手段がタイムアップしたとき前記後続硬貨が前記硬貨識別手段に到達している場合は、前記正偽貨振分手段を偽貨側に強制動作させる第２の強制動作制御手段とを具備して構成することができる。
　【００１７】
　また、この発明では、硬貨識別手段を通過した先行硬貨が偽貨であり、該先行硬貨が正偽貨振分手段を抜けるまでに後続硬貨が硬貨識別手段に到達した場合は、制御手段により、正偽貨振分手段を偽貨側に動作させて、後続硬貨を偽貨側に振り分ける。
　【００１８】
　ここで、制御手段は、前記先行硬貨が前記正偽貨振分手段の配設位置を抜けるまでの時間より僅かに長い時間を計時するタイマ手段と、前記タイマ手段がタイムアップするまでに前記後続硬貨が前記硬貨識別手段に到達している場合は、前記正偽貨振分手段を偽貨側に強制動作させる強制動作制御手段とを具備して構成することができる。
　【００１９】
　【実施例】
　以下、この発明に係わる硬貨処理装置の実施例を添付図面を参照して詳細に説明する。
　【００２０】
　図１は、この発明に係わる硬貨処理装置を構成するコインメック部１の一実施例を示したものである。図１において、コインメック部１は、アクセプタ部１００とコインメック本体部２００とから構成される。
　【００２１】
　アクセプタ部１００は、硬貨投入口から投入された硬貨を識別する硬貨識別部１１０、硬貨識別部１１０の識別結果に対応して硬貨識別部１１０を通過した硬貨を正貨と偽貨とに振り分け、正貨をパスセンサ１３０に導き、偽貨を硬貨返却口に導く正偽貨振分部１２０、正偽貨振分部１２０で振り分けられた正貨の通過を検出するパスセンサ１３０、パスセンサ１３０を通過した正貨を金種別に振り分ける金種振分部１４０を具備して構成される。
　【００２２】
　ここで、硬貨識別部１１０は、例えば、複数の硬貨検出コイルから構成される周知の電子式硬貨識別装置を具備して構成され、正偽貨振分部１２０は図示しない正偽貨振分ゲートと該正偽貨振分ゲートを駆動する正偽貨振分ソレノイドとから構成され、パスセンサ１３０は、例えば、コイル等からなる磁気近接スイッチから構成される。
　【００２３】
　また、金種振分部１４０は、釣銭として使用する硬貨を金種別に振り分けるとともに、釣銭として使用しない硬貨をキャシュボックスに振り分ける動作を行う。　この金種振分部１４０の詳細は図２に示される。ここで、この実施例においては、釣銭として使用する硬貨として、Ａ、Ｂ、Ｃ、Ｄの４種類の硬貨を使用できるように構成されており、金種振分部１４０は、この４種類の硬貨Ａ、Ｂ、Ｃ、Ｄの振分を行うとともに、釣銭として使用しない硬貨をキャッシュボックスに導く振分けを行う。
　【００２４】
　図２において、金種振分部１４０は、パスセンサ１３０からの硬貨を硬貨ＡおよびＢを含む第１のグループと硬貨ＣおよびＤを含む第２のグルーブに振り分けるＡ，Ｂ／Ｃ，Ｄ振分部１４１、Ａ，Ｂ／Ｃ，Ｄ振分部１４１で振り分けられた第２のグループの硬貨をキャッシュボックスに導くか否かの振分を行うキャッシュボックス振分部１４２、Ａ，Ｂ／Ｃ，Ｄ振分部１４１で振り分けられた第１のグループの硬貨を硬貨Ａと硬貨Ｂに振り分けるＡ／Ｂ振分部１４３、キャッシュボックス振分部１４２でキャッシュボックスに導かれなかった硬貨を硬貨Ｃと硬貨Ｄとに振り分けるＣ／Ｄ振分部１４４から構成される。
　【００２５】
　ここで、Ａ，Ｂ／Ｃ，Ｄ振分部１４１は、釣銭として使用する硬貨Ａ、Ｂ、Ｃ、Ｄ以外に使用可能な他の種類の硬貨がある場合は、この硬貨を第２のグループに含ませ、また、硬貨Ａ、Ｂ、Ｃ、Ｄのいずれかの種類の硬貨であっても、後述するように、コインメック本体部２００のコインチューブ２１０−１〜２１０−４のいずれかのコインチューブのオーバーフローがオーバーフローセンサ２１１−１〜２１１−４のいずれかで検出されている場合は、この硬貨も第２のグループに含ませるように振り分ける動作を行う。このＡ，Ｂ／Ｃ，Ｄ振分部１４１は図示しない第１の振分ゲートと該第１の振分ゲートを駆動する第１のソレノイドとから構成される。
　【００２６】
　また、キャッシュボックス振分部１４２は、Ａ，Ｂ／Ｃ，Ｄ振分部１４１で振り分けられた第２のグループの硬貨をキャッシュボックスに導くかＣ／Ｄ振分部１４４に導くかの振分を行い、Ａ／Ｂ振分部１４３は硬貨Ａと硬貨Ｂに振り分ける動作を行うが、このキャッシュボックス振分部１４２による振分とＡ／Ｂ振分部１４３による振分とは同時に行われることがないので、このキャッシュボックス振分部１４２およびＡ／Ｂ振分部１４３は、キャッシュボックス側に導くかＣ／Ｄ振分部１４４側に導くかの振分を行う第２の振分ゲートと、硬貨Ａと硬貨Ｂとを振り分ける第３の振分ゲートと、この第２の振分ゲートと第３の振分ゲートとを共通に駆動する第２のソレノイドから構成される。この場合、例えば、第２の振分ゲートを駆動するために第２のソレノイドをオンした場合、第３の振分ゲートも駆動されるが、これによる不都合は生じない。
　【００２７】
　また、Ｃ／Ｄ振分部１４４は、図示しない第４の振分ゲートと該第４の振分ゲートを駆動する第３のソレノイドとから構成される。
　【００２８】
　図１に戻り、コインメック本体部２００は、金種振分部１４０で振り分けられた硬貨Ａ、Ｂ、Ｃ、Ｄをそれぞれ蓄積する４本のコインチューブ２１０−１〜２１０−４、コインチューブ２１０−１〜２１０−４からの硬貨の払出を行い、該払い出された硬貨を硬貨返却口に導く硬貨払出部２２０を具備して構成される。
　ここで、コインチューブ２１０−１〜２１０−４は、それぞれコインチューブ２１０−１〜２１０−４内の硬貨が一定の下限枚数以下になったこと（この実施例ではこれをエンプティという）を検出するエンプティセンサ２１２−１〜２１２−４およびコインチューブ２１０−１〜２１０−４内の硬貨が一定の上限枚数以上になったこと（この実施例ではこれをオーバーフローという）を検出するオーバーフローセンサ２１１−１〜２１１−４が設けられている。
　【００２９】
　エンプティセンサ２１２−１〜２１２−４およびオーバーフローセンサ２１１−１〜２１１−４は、例えば、それぞれコインチューブ２１０−１〜２１０−４の側壁の所定位置にコインチューブ２１０−１〜２１０−４を挟むようにして配設された発光素子と受光素子とからなる光学的センサから構成される。
　【００３０】
　オーバーフローセンサ２１１−１〜２１１−４によりコインチューブ２１０−１〜２１０−４内の硬貨がオーバーフローしたことが検出されると、図３に示したＡ，Ｂ／Ｃ，Ｄ振分部１４１はパスセンサ１３０を通過した硬貨の内オーバーフローが検出されたコインチューブに対応する金種の硬貨をキャッシュボックス振分部１４２側に振り分けるように動作し、キャッシュボックス振分部１４２は、該硬貨をキャッシュボックス側に振り分けるように動作する。
　【００３１】
　ところで、上記構成において、正偽貨振分部１２０においては、硬貨識別部１１０の識別結果に対応して正貨と偽貨との振分を行い、金種振分部１４０においては、硬貨識別部１１０の識別結果に対応して金種別振分を行い、また、パスセンサ１３０の出力および硬貨識別部１１０の識別結果に対応して投入硬貨（正貨）の額の計数を行うが、硬貨投入口から硬貨が連続して投入されると、正偽貨振分部１２０における正偽貨振分動作、金種振分部１４０における金種別振分動作、パスセンサ１３０の出力に基づく投入硬貨の額の計数動作を正確に行うことができなくなる場合がある。
　【００３２】
　例えば、
　１）硬貨識別部１１０を通過した先行硬貨が正偽貨振分部１２０の配設位置に到達する前に後続硬貨が硬貨識別部１１０に到達した場合
　は、この先行硬貨と後続硬貨の２枚の硬貨に関しては、正偽貨振分部１２０における正偽貨振分動作、金種振分部１４０における金種別振分動作、パスセンサ１３０の出力に基づく投入硬貨の額の計数動作を正確に行うことができない。
　【００３３】
　また、
　２）硬貨識別部１１０を通過した先行硬貨が正貨であり、該先行硬貨が正偽貨振分部１２０を抜けた直後に後続硬貨が硬貨識別部１１０に到達している場合
　は、先行硬貨に関しては、金種振分部１４０における金種別振分動作、パスセンサ１３０の出力に基づく投入硬貨の額の計数動作を正確に行うことができるが、後続硬貨に関しては正偽貨振分部１２０における正偽貨振分動作、金種振分部１４０における金種別振分動作、パスセンサ１３０の出力に基づく投入硬貨の額の計数動作を正確に行うことができない。
　【００３４】
　また、
　３）硬貨識別部１１０を通過した先行硬貨が偽貨であり、該先行硬貨が正偽貨振分部１２０を抜けるまでに後続硬貨が硬貨識別部１１０に到達した場合
　は、正偽貨振分部１２０における正偽貨振分動作を正確に行うことができない。
　【００３５】
　そこで、この実施例においては、１）の場合は、先行硬貨と後続硬貨の２枚の硬貨とも返却通路に導くように正偽貨振分部１２０を制御し、２）の場合は、先行硬貨は正貨通路に導くが、後続硬貨は返却通路に導くように正偽貨振分部１２０を制御し、３）の場合には、後続硬貨を返却通路に導くように正偽貨振分部１２０を制御する。
　【００３６】
　次に、この実施例の動作を図３乃至図５に示したフローチャートを参照して詳細に説明する。
　【００３７】
　図３において、硬貨識別部１１０の出力に基づき、硬貨識別部１１０に硬貨が到来したことが検出されると（ステップ３０１）、次に、硬貨識別部１１０の出力に基づき、この硬貨が正貨か否かを調べ（ステップ３０２）、ここで、正貨であるとすると、図示しない正偽貨振分ソレノイドをオンにし、正偽貨振分部１２０の図示しない正偽貨振分レバーを正貨通路側、すなわちパスセンサ１３０側に変位させる（ステップ３０３）。
　【００３８】
　そして、次に、硬貨識別部１１０の出力に基づき、この硬貨が硬貨識別部１１０を出たか、すなわちこの硬貨が硬貨識別部１１０を抜けたかを調べ（ステップ３０４）、この硬貨が硬貨識別部１１０を抜けると、そのタイミングで第１のタイマＴ１をスタートさせる（ステップ３０５）。ここで、第１のタイマＴ１は、硬貨が硬貨識別部１１０を抜けてから正偽貨振分部１２０に達する時間よりも僅かに短い時間が設定されているものである。
　【００３９】
　次に、硬貨識別部１１０の出力に基づき、後続硬貨が硬貨識別部１１０に到来したか否かを調べ（ステップ３０６）、未だ後続硬貨が硬貨識別部１１０に到来していない場合は、ステップ３０８に移行して第１のタイマＴ１がタイムアップしたか否かを調べ、ここで、第１のタイマＴ１がタイムアップしていないとステップ３０６に戻り、再び、後続硬貨が硬貨識別部１１０に到来したか否かを調べる。
　【００４０】
　ステップ３０６において、後続硬貨が硬貨識別部１１０に到来したことが検出されると、後続硬貨が投入されたことを記憶し（ステップ３０７）、ステップ３０８に移行する。
　【００４１】
　ステップ３０８で第１のタイマＴ１がタイムアップしたと判断されると、次に後続硬貨投入の記憶があるか否かを調べ（ステップ３０９）、後続硬貨投入の記憶がある場合は、正偽貨振分ソレノイドをオフにし（ステップ３１０）、後続硬貨投入の記憶を削除して（ステップ３１１）、ステップ３０１に戻る。
　【００４２】
　すなわち、この場合は、先行硬貨が正偽貨振分部１２０の配設位置に到達する前に正偽貨振分ソレノイドがオフにされるので、正偽貨振分部１２０の図示しない正偽貨振分レバーは返却通路側に変位され、先行硬貨と後続硬貨の２枚の硬貨とも返却通路を介して返却口に返却される。
　【００４３】
　ステップ３０９で、後続硬貨投入の記憶なしと判断されると、図４に示すフローチャートに移行する。
　【００４４】
　図４に示すフローチャートにおいては、まず、第２のタイマＴ２をスタートさせる。ここで、第２のタイマＴ２は、硬貨識別部１１０を抜けた硬貨が正偽貨振分部１２０を抜ける時間よりも僅かに長い時間が設定されているものである。
　【００４５】
　第２のタイマＴ２をスタートさせると、次に、後続硬貨が硬貨識別部１１０に到来したか否かを調べる（ステップ４０２）。ここで、未だ後続硬貨が硬貨識別部１１０に到来していない場合は、ステップ４０４に移行して第２のタイマＴ２がタイムアップしたか否かを調べ、ここで、第２のタイマＴ２がタイムアップしていないとステップ４０２に戻り、再び、後続硬貨が硬貨識別部１１０に到来したか否かを調べる。
　【００４６】
　ステップ４０２において、後続硬貨が硬貨識別部１１０に到来したことが検出されると、後続硬貨が投入されたことを記憶し（ステップ４０３）、ステップ４０４に移行する。
　【００４７】
　ステップ４０４で第２のタイマＴ２がタイムアップしたと判断されると、次に後続硬貨投入の記憶があるか否かを調べ（ステップ４０５）、後続硬貨投入の記憶がある場合は、正偽貨振分ソレノイドをオフにし（ステップ４０６）、後続硬貨投入の記憶を削除して（ステップ４０７）、図３のステップ３０１に戻る。
　【００４８】
　すなわち、この場合は、先行硬貨が正偽貨振分部１２０を抜けた後に正偽貨振分ソレノイドがオフにされるので、先行硬貨は正貨通路に導くが、後続硬貨は返却通路を介して返却口に返却される。
　【００４９】
　なお、ステップ４０５で、後続硬貨投入の記憶なしと判断された場合は、図３のステップ３０１に戻る。
　【００５０】
　図３のステップ３０２で、投入硬貨が正貨でない、すなわち偽貨であると判定された場合は、図５に示すフローチャートに移行する。
　【００５１】
　図５に示すフローチャートにおいては、まず、この硬貨が硬貨識別部１１０を出たか、すなわちこの硬貨が硬貨識別部１１０を抜けたかを調べ（ステップ５０１）、この硬貨が硬貨識別部１１０を抜けると、そのタイミングで第３のタイマＴ３をスタートさせる（ステップ５０２）。ここで、第３のタイマＴ３は、硬貨が硬貨識別部１１０を抜けてから正偽貨振分部１２０を抜ける時間よりも僅かに長い時間が設定されているものである。
　【００５２】
　次に、硬貨識別部１１０の出力に基づき、後続硬貨が硬貨識別部１１０に到来したか否かを調べ（ステップ５０３）、後続硬貨が硬貨識別部１１０に到来した場合は、次に、この第３のタイマＴ３がタイムアップしたか否かを調べ（ステップ５０４）、ここで、第３のタイマＴ３がタイムアップしていない場合は、ステップ５０２に戻り、再び、タイマＴ３を再スタートさせる。
　【００５３】
　なお、ステップ５０４で、第３のタイマＴ３がタイムアップしたと判断された場合は、図３のステップ３０１に戻る。
　【００５４】
　すなわち、この場合は、正偽貨振分部１２０の正偽貨振分ソレノイドはオフのままになり、後続硬貨は正貨であるか偽貨であるかに係わらず返却通路を介して返却口に返却される。
　【００５５】
　図６は、硬貨識別部１１０を通過した先行硬貨が正偽貨振分部１２０の配設位置に到達する前に後続硬貨が硬貨識別部１１０に到達した場合のこの実施例装置の動作を示したものである。先行硬貨が硬貨識別部１１０に到来し（図６（ａ）参照）、硬貨識別部１１０から正貨信号が出力されると（図６（ｂ）参照）、正偽貨振分部１２０の正偽貨振分ソレノイドがオンする（図６（ｃ）参照）。また、この硬貨が硬貨識別部１１０を抜けるタイミングで第１のタイマＴ１がスタートされ（図６（ｄ）参照）、この第１のタイマＴ１がタイムアップしたとき後続硬貨が硬貨識別部１１０に到来すると（図６（ａ）参照）、正偽貨振分部１２０の正偽貨振分ソレノイドはオフにされる（図６（ｃ）参照）。この場合は、先行硬貨と後続硬貨の２枚の硬貨とも返却通路を介して返却口に返却される。この場合、第２のタイマＴ２は動作しない（図６（ｅ）参照）。
　【００５６】
　図７は、硬貨識別部１１０を通過した先行硬貨が正貨であり、該先行硬貨が正偽貨振分部１２０を抜けた直後に後続硬貨が硬貨識別部１１０に到達している場合のこの実施例装置の動作を示したものである。先行硬貨が硬貨識別部１１０に到来し（図７（ａ）参照）、硬貨識別部１１０から正貨信号が出力されると（図７（ｂ）参照）、正偽貨振分部１２０の正偽貨振分ソレノイドがオンする（図７（ｃ）参照）。また、この硬貨が硬貨識別部１１０を抜けるタイミングで第１のタイマＴ１がスタートされる（図７（ｄ）参照）。しかし、この第１のタイマＴ１がタイムアップしても後続硬貨が硬貨識別部１１０に到達していないと（図７（ａ）参照）、第２のタイマＴ２をスタートさせる（図７（ｅ）参照）。そして、第２のタイマＴ２がタイムアップしたとき後続硬貨が硬貨識別部１１０に到来すると（図７（ａ）参照）、正偽貨振分部１２０の正偽貨振分ソレノイドはオフにされ（図７（ｃ）参照）。この場合、先行硬貨は正貨通路に導かれ、後続硬貨は返却通路を介して返却口に返却される。
　【００５７】
　図８は、硬貨識別部１１０を通過した先行硬貨が偽貨であり、該先行硬貨が正偽貨振分部１２０を抜けるまでに後続硬貨が硬貨識別部１１０に到達した場合のこの実施例装置の動作を示したものである。先行硬貨が硬貨識別部１１０に到来し（図８（ａ）参照）、この硬貨が偽貨であるとすると、硬貨識別部１１０から偽貨信号が出力される（図８（ｂ）参照）。この場合、正偽貨振分部１２０の正偽貨振分ソレノイドはオフのままである（図８（ｃ）参照）。また、この硬貨が硬貨識別部１１０を抜けるタイミングで第３のタイマＴ３がスタートされ（図８（ｄ）参照）、この第３のタイマＴ３がタイムアップする前に後続硬貨が硬貨識別部１１０に到来すると（図８（ａ）参照）、第３のタイマＴ３は再スタートされ、正偽貨振分部１２０の正偽貨振分ソレノイドは後続硬貨が正貨であってもオンにされることはない（図８（ｃ）参照）。この場合は、後続硬貨は正貨であるか偽貨であるかに係わらず偽貨として扱われ、返却通路を介して返却口に返却される。
　【００５８】
　なお、上記実施例において、第２のタイマＴ２は、第１のタイマＴ１がタイムアップした後スタートするように構成したが、第２のタイマＴ２として、硬貨が硬貨識別部１１０を抜けてから正偽貨振分部１２０を抜ける時間よりも僅かに長い時間を設定したものを用い、この第２タイマＴ２を第１のタイマＴ１と同時にスタートさせるように構成してもよい。
　【００５９】
　【発明の効果】
　以上説明したように、この発明によれば、
　１）硬貨識別手段を通過した先行硬貨が正偽貨振分手段の配設位置に到達する前に後続硬貨が硬貨識別手段に到達した場合は、正偽貨振分手段を偽貨側に動作させて、先行硬貨および後続硬貨を共に偽貨側に振り分ける
　２）硬貨識別手段を通過した先行硬貨が正貨であり、該先行硬貨が前記正偽貨振分手段を抜けた直後に後続硬貨が前記硬貨識別手段に到達している場合は、正偽貨振分手段を偽貨側に動作させて、後続硬貨のみを偽貨側に振り分ける
　３）硬貨識別手段を通過した先行硬貨が偽貨であり、該先行硬貨が正偽貨振分手段を抜けるまでに後続硬貨が硬貨識別手段に到達した場合は、正偽貨振分手段を偽貨側に動作させて、後続硬貨を偽貨側に振り分ける
　ように構成したので、硬貨が連続投入された場合の誤動作、不都合を解消することができるという効果を奏する。
【図面の簡単な説明】
　【図１】
　この発明に係わる硬貨処理装置を適用して構成したコインメック部の一実施例を示したブロック図。
　【図２】
　図１に示したアクセプタ部の金種振分部の詳細構成を示した図。
　【図３】
　この実施例の動作を説明するフローチャート。
　【図４】
　この実施例の動作を説明するフローチャート。
　【図５】
　この実施例の動作を説明するフローチャート。
　【図６】
　硬貨識別部を通過した先行硬貨が正偽貨振分部の配設位置に到達する前に後続硬貨が硬貨識別部に到達した場合のこの実施例装置の動作を示すタイミングチャート。
　【図７】
　硬貨識別部を通過した先行硬貨が正貨であり、該先行硬貨が正偽貨振分部を抜けた直後に後続硬貨が硬貨識別部に到達している場合のこの実施例装置の動作を示すタイミングチャート。
　【図８】
　硬貨識別部を通過した先行硬貨が偽貨であり、該先行硬貨が正偽貨振分部を抜けるまでに後続硬貨が硬貨識別部に到達した場合のこの実施働装置の動作を示すタイミングチャート。
　【符号の説明】
　１　　コインメック部
　１００　　アクセプタ部
　１１０　　硬貨識別部
　１２０　　正偽貨振分部
　１３０　　パスセンサ
　１４０　　金種振分部
　１４１　　Ａ，Ｂ／Ｃ，Ｄ振分部
　１４２　　キャッシュボックス振分部
　１４３　　Ａ／Ｂ振分部
　１４４　　Ｃ／Ｄ振分部
　２００　　コインメック本体部
　２１０−１〜２１０−４　　コインチューブ
　２１１−１〜２１１−４　　オーバーフローセンサ
　２１２−１〜２１２−４　　エンプティセンサ
　２２０　　硬貨払出部